(57)【要約】【課題】ビン酒のデキャンティング装置の構造を提供する。【解決手段】  注入管１、キャップ２、接続管３、通気管４、底栓５及び下遮蔽蓋６で構成し、遠赤外線放射性の鉱石、電気石或いは微量有効成分元素を含有する鉱石からなるパワーストーンフィルター材料４０に通気管４を挿通して支持し、通気管４を底栓５と接続管３上部の定位シート３１２により定位する。  デキャンタとして使用するときは、瓶の開口に挿入して下遮蔽蓋６とキャップ２とで瓶を密封し、酒を注ぐ際には瓶内の酒は接続管３の流入穴３２、底栓５の流入穴５３から流入してパワーストーンフィルター材料４０に接触し、接続管３、注入管１を経て注がれることにより、酒のテスティングを向上する。【選択図】図２
0003203500.tif 000002
【実用新案登録請求の範囲】
【請求項１】
注入管、キャップ、接続管、通気管、底栓及び下遮蔽蓋から構成され、
上記注入管は、上下に貫通する管体であって、その下方は上記キャップと接合固定し、ステンレス、セラミック、ガラス、無毒のプラスティック或いはステンレス合金素材とし、
上記キャップは、管状であって上下に貫通する流通路を形成し、その管部の外周壁は注入管の下方と接合固定すると共に、管部の下方には該管部の直径より大きい蓋体部を設けて、該蓋体部は底栓を囲む円形壁と共に該底栓に被せてなり、ステンレス、セラミック、ガラス、無毒プラスティック或いはステンレス合金素材とし、
上記接続管は、上下に貫通する管体であって、その上方は上記キャップの管部の内周壁と接合固定し、該接続管に複数の酒流入穴を設け、且つ該接続管の上方内部の上端に定位穴を具有する定位シートを設けて、該定位穴に通気管の上方を挿入して定位し、前記接続管はステンレス、セラミック、ガラス、無毒プラスティック或いはステンレス合金素材とし、
上記通気管は、複数のパワーストーンフィルター材料を挿通して支持し、且つ該通気管の上方は、上記接続管の定位シートの定位穴内に挿入して定位し、該通気管の下方は底栓を被嵌して定位・支持し、該通気管はステンレス、セラミック、ガラス、無毒プラスティック或いはステンレス合金素材とし、
上記底栓は、シリコン或いは無毒ゴムの材質とし、接続管に対して接続管の管体下方の内部に挿入して緊密に嵌合して被嵌して定位し、該底栓は少なくとも上下に貫通する定位孔と、上下に貫通する酒流入穴を具有し、該定位孔の上方は、通気管の下方に被嵌されてこれを定位し、
上記下遮蔽蓋は、シリコン或いは無毒ゴムの材質とし、該下遮蔽蓋は上下に貫通する套合孔を設けて上記接続管の上段部位に套入し、該下遮蔽蓋の上方に套合壁を設けてキャップの蓋体部の円形壁と被嵌して接合し、該下遮蔽蓋は間隔を開けて複数の円形突縁を設けてなることを特徴とするビン酒のデキャンティング装置の構造。
【請求項２】
前記通気管に通す複数個のパワーストーンフィルター材料は、遠赤外線放射性の鉱石、電気石或いは微量有効成分元素を含有する鉱石としたことを特徴とする請求項１記載のビン酒のデキャンティング装置の構造。
【考案の詳細な説明】
【技術分野】
【０００１】
本考案は、ビン酒のデキャンティング装置の構造に関し、ビン酒の瓶口内にセットし、お酒を注ぐ際に、瓶中のお酒の味を瞬時にまろやかにするデキャンティング装置の構造に関する。
【背景技術】
【０００２】
多くの人は、お酒を飲む前に、お酒を注ぐ時に、酒瓶を傾ける角度が大きすぎてお酒が溢れ出たり、或いは噴出したりすることがある。不必要な浪費と面倒にならずにこのような問題を解決するため、同じ考案者が公知の実用新案第３１８１１０１号「ビン酒のデキャンティング装置」で前述の欠点を防止する関連技術を案出した。しかし、該第３１８１１０１号の「ビン酒のデキャンティング装置」の注入管は、通気管及びキャップと接合して固定する必要がある。注入管内はまた、まず予め溶接の方法、或いは緊合した状態で掛止するなどの接合方法により、先に一つの上フィルターを接合してから、逆さまにして複数個のアルカリ性鉱石を入れ、作業中にアルカリ性鉱石が瓶内に落ちるのを回避するために、溶接或いは緊合して掛止するなどの方法で下フィルターを接合する。
よって、組み立てる過程は大変面倒であり、人力と時間も浪費する。特に注入管を溶接の方法で上下フィルターを接合するのは、環境保護にもよくなく、また、仮に溶接する品質が悪いと、相対的に使用寿命も短くなるなどを鑑みて、更なる改善が必要であり、これらの問題を解決したビン酒のデキャンティング装置の構造を案出した。
【先行技術文献】
【特許文献】
【０００３】
【特許文献１】登録実用新案第３１８１１０１号公報
【考案の概要】
【考案が解決しようとする課題】
【０００４】
本考案は、前記公知構造の欠点を解決したビン酒のデキャンティング装置を提供することを主な課題とする。
【課題を解決するための手段】
【０００５】
前記課題を解決するために、本考案の第１の目的はお酒を注ぐ際に、パワーストーンフィルター材料を介し、瞬時にしてお酒の味をまろやかにすることができ、それによりデキャンティングの目的に達し、テスティングのクォリティをアップすることに繋がるビン酒のデキャンティング装置を提供するものである。
本考案の第２の目的は、該キャップは該円形壁と下遮蔽蓋の抵触壁を介して套合して、相対的に、比較的安定した定位効果を具有し、緩むのを防止するビン酒のデキャンティング装置を提供するものである。
本考案の第３の目的は、複数個のパワーストーンフィルター材料は直接通気管に通して支持することにより、通気管は直接接続管の定位シートと底栓の間に定位することができる。このため、組立設置が比較的便利であり、それにより人力及び時間を節約することができるビン酒のデキャンティング装置を提供するものである。
【考案の効果】
【０００６】
本考案の構造により、お酒を注ぐ際に、ビン酒内のお酒は、接続管と注入管に沿って流れ出ると同時に、パワーストーンフィルター材料を介して、お酒の味を瞬時にまろやかにし、デキャンティングする目的に達し、且つテスティングのクォリティをアップすることとなる。
【図面の簡単な説明】
【０００７】
【図１】本考案の実施例の立体図である。
【図２】本考案の実施例の組立断面拡大略図である。
【考案を実施するための形態】
【０００８】
以下、本考案の構造と特徴および効果を、最良実施例と図面を参照しながら詳細に説明する。
【実施例】
【０００９】
図１〜図２に示すように、本考案は一種のビン酒のデキャンティング装置であり、お酒を注ぐ際に、様々なお酒の味を瞬時にまろやかにすることができるビン酒のデキャンティング装置である。
【００１０】
本考案は、注入管１、キャップ２、接続管３、通気管４、底栓５及び下遮蔽蓋６から構成する。
該注入管１は上下に貫通する管体であり、その下方は緊合して掛止、或いはその他の方法でキャップ２と接合固定する。該注入管１はステンレス、セラミック、ガラス、無毒のプラスティック或いはステンレス合金素材とする。
【００１１】
図２に示すように、上記キャップ２は上下に貫通する酒の流通路２０を具有し、その上方の管部２１の外周壁２１１は注入管１の下方と接合固定する。管部２１の下方には該管部２１の直径より大きい蓋体部２２があり、該蓋体部２２は円形壁２２１を具有し、該キャップ２はステンレス、セラミック、ガラス、無毒プラスティック或いはステンレス合金素材とする。
【００１２】
図２に示すように、接続管３は上下に貫通する管体であり、その上方をキャップ２の管部２１の内周壁２１２と緊合して掛止、或いはその他の方法で接合固定する。該接続管３に複数の酒の流入穴３２を設け、且つ該接続管３の上方３１内部の上端に定位シート３１２を具有する。該定位シート３１２は定位穴３１２１を設けて通気管４の上方４１を挿入して定位する。前記接続管３はステンレス、セラミック、ガラス、無毒プラスティック或いはステンレス合金素材とする。
【００１３】
図２に示すように、通気管４は複数のパワーストーンフィルター材料４０に挿通すると共に該通気管４の上方４１は、該接続管３の定位シート３１２の定位穴３１２１内に挿入して定位する。該通気管４の下方４２には底栓５を被嵌する。該通気管４はステンレス、セラミック、ガラス、無毒プラスティック或いはステンレス合金素材とする。
【００１４】
上記底栓５はシリコン或いは無毒ゴムの材質とし、それに具有する被嵌部５１は、接続管３の管体下方の内部に嵌入して且つ緊合・被嵌し、定位する。
該底栓５は、上下に貫通する定位孔５２と、上下に貫通する酒の流入穴５３を具有し、該定位孔５２の上方は、通気管４の下方に被嵌されて該通気管４を定位する。
【００１５】
図２に示すように、下遮蔽蓋６はシリコン或いは無毒ゴムの材質とし、該下遮蔽蓋６は上下に貫通する套合孔６１を具有し、それを接続管３の上段部位に套入する。該下遮蔽蓋６の上方に套合壁６２を具有し、キャップ２の蓋体部２２の円形壁２２１と被嵌して接合する。該下遮蔽蓋６には間隔を開けて複数の円形突縁６３を設けて、ビン酒の瓶口内に緊密に嵌合・密閉する。
【００１６】
前記の構成により、下遮蔽蓋６の円形突縁６３によってビン酒の瓶口内に緊合することができ、それによりお酒を注ぐ際に、ビン酒内のお酒は、接続管３と注入管１に沿って流れ出ると共にパワーストーンフィルター材料４０に接触してその作用により、お酒の味を瞬時にまろやかにし、デキャンティングする目的に達し、且つテスティングのクォリティをアップすることに繋がる。
【００１７】
更に、通気管４を挿通する複数個のパワーストーンフィルター材料４０は遠赤外線放射性の鉱石、電気石或いは微量有効成分元素含有の鉱石とする。
【００１８】
以上の構成により、本考案は下記の効果を向上する機能を具有する。
１.  お酒を注ぐ時に、パワーストーンフィルター材料４０を介して、瞬時にお酒の味をまろやかにし、デキャンティングの目的及びテスティングのクォリティをアップする目的に達する。
２.一般のデキャンタ機能を兼ね備えるため、注ぐ時に比較的こぼれ難い。
３.キャップ２は、円形壁２２１と下遮蔽蓋６の套合壁６２を介して套合する構造により、相対的に安定した定位効果を具有し、緩むのを防止する。
４.パワーストーンフィルター材料４０は、直接通気管を挿通することにより、通気管４は直接接続管３の定位シート３１２と底栓５の間に定位することができる。このため、組立設置が比較的便利であり、それにより人力及び時間を節約することができる。また、溶接する作業がないため、エコの原則に合致する。
【符号の説明】
【００１９】
１  注入管
２  キャップ
２０  流通路
２１  管部
２２  蓋体部
２２１  円形壁
３  接続管
３１、４１  上方
３１２  定位シート
３１２１  定位穴
３２  流入穴
４  通気管
４０  パワーストーンフィルター
４２  下方
５  底栓
５１  被嵌部
５２  定位孔    
５３  流入穴
６  下遮蔽蓋
６１  套合孔
６２  套合壁    
６３  円形突縁
【図１】
0003203500.tif 000003
【図２】
0003203500.tif 000004